(57)【特許請求の範囲】
【請求項１】
第１の部材と第２の部材を上下方向に重ね合わせた状態で相対的にスライドさせる機構であって、前記第１の部材と第２の部材の一方に取り付けられる互いに重ね合わせて固定したスライドカバーとロックプレートから成るスライドケースと、このスライドケース内に圧接状態で摺動可能に収納されたスライダーと、このスライダーと前記スライドケースとの間に設けられたロック手段と、前記スライダーに取り付けられ、前記スライドケースに設けたガイド長孔を貫通して該スライドケース外へ突出させられたピンとから成り、このピンを前記第１の部材と第２の部材のもう一方に固着させたことを特徴とする、スライド機構。
【請求項２】
前記ロック手段が前記スライダーと前記スライドケースとの間に設けられた凸部係合或は凹凸係合であることを特徴とする、請求項１に記載のスライド機構。
【請求項３】
第１の部材と第２の部材を上下方向に重ね合わせた状態で相対的にスライドさせる機構であって、前記第１の部材と第２の部材の一方に取り付けられる互いに重ね合わせて固定したスライドカバーとロックプレートから成るスライドケースと、このスライドケース内に圧接状態で摺動可能に収納されたスライダーと、このスライダーの側部に接して前記スライドケース内に収装されたサイドスプリングプレートと、前記スライドケースと前記スライダーとの間に設けられたロック手段と、前記スライダーに取り付けられ、前記スライドケースに設けたガイド長孔を貫通して該スライドケース外へ突出させられたピンとから成り、このピンを前記第１の部材と第２の部材のもう一方に固着させたことを特徴とする、スライド機構。
【請求項４】
前記スライダーと前記スライドケースとの間に、該スライダーと共に移動するスプリングプレートを一体或は別体に設けたことを特徴とする、請求項１乃至３のいずれかに記載のスライド機構。
【請求項５】
前記スライダー及び又はスライドケースに潤滑コーティングを施したことを特徴とする、請求項１乃至４のいずれかに記載のスライド機構。
【請求項６】
前記第１の部材と第２の部材がそれぞれ携帯電話機の送話部と受話部であることを特徴とする、請求項１乃至５のいずれかに記載のスライド機構。
【発明の詳細な説明】
【０００１】
【発明の属する技術分野】
この発明は、とくに携帯電話機の送話部と受話部を互いにスライド可能に取り付ける際に用いて好適なスライド機構に関する。
【０００２】
【従来の技術】
一般に携帯電話機は、キーボード部とマイク部を設けた送話部とディスプレー装置とスピーカー部を設けた受話部とから構成されており、送話部と受話部を一つのケースの中に縦方向に並置したものと、送話部と受話部を各々別のケースに設け、両者をヒンジを用いて開閉可能に連結したものとが知られている。
【０００３】
【発明が解決しようとする課題】
このうち、送話部と受話部を別のケースに設け両者をヒンジで開閉可能に連結したものは、不使用時に送話部と受話部を折り畳むことによって全体の長さが約半分となることから、不使用時における収納、取り扱いが便利であり、不使用時に誤ってキー釦が押されてしまうということを防止できるという利点を有するが、着信時の相手先電話番号や留守番電話情報、日時等を確認しようとする場合には、その度毎に送話部と受話部を相対的に開かなくてはならず、煩雑な場合があるという問題があった。
【０００４】
この発明の目的は、とくに携帯電話機に実施した場合に、不使用時には送話部と受話部とを重ね合わせてコンパクトにまとめて嵩張らず、収納容易かつ取り扱い容易とすることができる上に、コンパクトにまとめた状態で受話部のディスプレー装置に表示された情報を読み取ることを可能とし、コンパクトで耐久性があり、閉成状態と任意のスライド位置で送話部と受話部を安定的にロックすることのできるスライド機構を提供せんとするにある。
【０００５】
【課題を解決するための手段】
上述した目的を達成するためにこの発明は、第１の部材と第２の部材を上下方向に重ね合わせた状態で相対的にスライドさせる機構であって、前記第１の部材と第２の部材の一方に取り付けられる互いに重ね合わせて固定したスライドカバーとロックプレートから成るスライドケースと、このスライドケース内に圧接状態で摺動可能に収納されたスライダーと、このスライダーと前記スライドケースとの間に設けられたロック手段と、前記スライダーに取り付けられ、前記スライドケースに設けたガイド長孔を貫通して該スライドケース外へ突出させられたピンとから成り、このピンを前記第１の部材と第２の部材のもう一方に固着させたことを特徴とするスライド機構。
【０００６】
その際にこの発明は、前記ロック手段を前記スライダーと前記スライドケースとの間に設けられた凸部係合或は凹凸係合とすることができる。
【０００７】
この発明はまた、第１の部材と第２の部材を上下方向に重ね合わせた状態で相対的にスライドさせる機構であって、前記第１の部材と第２の部材の一方に取り付けられる互いに重ね合わせて固定したスライドカバーとロックプレートから成るスライドケースと、このスライドケース内に圧接状態で摺動可能に収納されたスライダーと、このスライダーの側部に接して前記スライドケース内に収装されたサイドスプリングプレートと、前記スライドケースと前記スライダーとの間に設けられたロック手段と、前記スライダーに取り付けられ、前記スライドケースに設けたガイド長孔を貫通して該スライドケース外へ突出させられたピンとから成り、このピンを前記第１の部材と第２の部材のもう一方に固着させたことを特徴とする。
【０００８】
この発明はさらに、上記いずれの場合にも、前記スライダーと前記スライドケースとの間に該スライダーと共に移動するスプリングプレートを一体或は別体に設けたり、或は前記スライダー及び又はスライドケースに潤滑コーティングを施したりすることができる。
【０００９】
そして、この発明は、前記第１の部材と第２の部材をそれぞれ携帯電話機の送話部と受話部とすることができる。
【００１０】
【発明の実施の形態】
以下にこの発明の一実施の形態を携帯電話機に実施した場合について説明するが、この発明に係るスライド機構は他にも例えばザウルス（商標）のような携帯端末、電卓、ポケットコンピュータ、携帯ゲーム機、灰皿、ケースの蓋等に実施することができる。
【００１１】
図面は、この発明の一実施の形態を示し、図１乃至図２において、指示記号１は例えば携帯電話機の送話部の匡体であり、第１の部材２を構成する。この第１の部材２の表面にマイク部２ａとキーボード２ｂが設けられており、この第１の部材２の上部に重ね合わされ長手方向へスライド可能に取り付けられているのが、例えば携帯電話機の受話部の匡体３であり、第２の部材４を構成する。この第２の部材４の表面にスピーカー部４ａとディスプレー装置４ｂが設けられている。尚、指示記号５はアンテナである。このアンテナ５は第２の部材４の側に取り付けられているが、第１の部材２の側に取り付けられる場合もあろう。
【００１２】
図３乃至図６は、上記携帯電話機に実施したこの発明に係るスライド機構６を示し、とくに図３において、指示記号７はスライドケースである。このスライドケース７は、第２の部材４の左右両端部側に２本、下部カバー４ｃを介して取り付けられており、この第２の部材４より突出させたピン８が、下部カバー４ｃに設けたガイド長孔４ｄを介して下部へ突出し、第１の部材２の上部カバー２ｃへ取付ネジ９を介して固着されている。尚、このスライドケース７は、図面では２本用意されているが、これを中央部に１本としても良いし、３本としても良く、その数に限定はない。
【００１３】
このスライドケース７の構成は図４乃至図６に示されている。図面によれば、指示記号１０のものがロックプレートであり、その左右より所定間隔を空けて立ち上げた複数の垂下片１０ａ，１０ａ……に係止突片１０ｂ，１０ｂ…を設けて成り、その長手方向の両端部には当該ロックプレートと直交する方向に凸部１０ｃ，１０ｄが設けられている。指示記号１１のものが、スライドカバーである。その左右に設けた立上片１１ａ，１１ａに前記係止突片１０ｂ，１０ｂ…と嵌合する複数の係止孔１１ｂ，１１ｂ…が設けられており、スライドカバー１１をロックプレート１０へ被せて、各係止突片１０ｂと各係止孔１１ｂを係合させることにより、両者は堅固に結合されている。
【００１４】
ロックプレート１０とスライドカバー１１で構成されたスライドケース７内には、板状のスライダー１２が摺動可能に収装されており、このスライダー１２には、その中央部と長手方向の両端部の該スライダー１２と直交する方向に凸部１２ａ，１２ｂ，１２ｃが形成されている。スライダー１２はまた、スライドケース７を構成するロックプレート１０とスライドカバー１１との間に圧接状態で収装されている。そして、ロックプレート１０の凸部１０ｃ，１０ｄとスライダー１２の凸部１２ａ，１２ｃでロック手段１３を構成している。
【００１５】
このスライダー１２には、上述したように、一対のピン８が固着されており、このピン８はスライドカバー１１に設けたガイド長孔１１ｃを貫通して外部へ突出させられている。そして、ピン８が前述したように第２の部材２側に取付ネジ９で固着されている。
【００１６】
したがって、第１の部材２に対して第２の部材４が重ね合わせた両者の閉成位置である時には、スライドケース７内のスライダー１２の一方の端部に設けた凸部１２ａは、ロックプレート１０の一方の端部に設けた凸部１０ｃと係合しており、両者はロック状態にある。したがって、外力が加えられない限り、スライドすることはない。本件発明を実施したものが、図面に示したように、携帯電話機である場合には、この状態で送話部の匡体１と受話部の匡体３がコンパクトにまとめられるので、収納保持し易く、かつ、保持中にキー釦が誤って押されてしまうことがない上に、ディスプレー装置４ｂ上に表示された情報をこの状態で見ることができる。
【００１７】
次いで、第１の部材２と第２の部材４を相対的に長手方向へスライドさせると、スライダー１２の凸部１２ａとロックプレート１０の凸部１０ｃとの間の係合が外れ、スライドケース７内のスライダー１２は圧接状態で該スライドケース７内をスライドするので、第１の部材２と第２の部材４は、互いにスライドして任意の位置で停止させることができる。
【００１８】
第１の部材２と第２の部材４をさらに相対的にスライドさせると、今度はスライダー１２のもう一方の端部に設けた凸部１２ｂが、ロックプレート１０のもう一方の端部に設けた凸部１０ｄと係合し、同時にピン８の側部がスライドカバー１１に設けたガイド長孔１１ｃの端部に当接するので、ここにおいても第１の部材２と第２の部材４は相互にロックされる。この状態において、送話部のキーボード２ｂが露出し、携帯電話機の使用が可能となる。或は匡体１と匡体３を完全にスライドさせなくとも、場合によっては使用が可能となる。
【００１９】
次いで、第１の部材２と第２の部材４を互いに摺動させて再び重ね合わされる方向へ力を加えると、スライダー１２の凸部１２ｂとロックプレート１０の凸部１０ｄとの間の係合が外れて、第１の部材２と第２の部材４は任意の位置で停止可能にスライドし、スライダー１２の凸部１２ａとロックプレート１０の凸部１０ｃが係合する位置に戻り、ここでロックされる。その際にピン８の側部がガイド長孔１１ｃの端部に当接する。もっとも、スライダー１２がロックされる位置での任意のストッパー手段としては、当該スライダー１２の端部がスライドケース７の端部へ当接することによってなされても良い。また、スライドカバー１１の側に設けられるガイド長孔１１ｃはロックプレート１０の側に設けることも可能である。
【００２０】
図７は他の実施の形態を示し、スライダー１５とスライドカバー１６との間に、さらにスプリングプレート１７を当該スライダー１５と共にスライドするように介在させたもので、スライダー１５のよりスムーズなスライドと、任意の位置での停止保持機能の向上を図ることができるものである。
【００２１】
図８はさらに他の実施の形態を示し、スライダー１８からロッキングプレート部１９を切り起こして設けてあり、このロッキングプレート部１９に設けた凸部１９ａがロックプレート２０に設けたガイド長孔２０ａに設けた拡張部２０ｂと嵌合することにより、ロック作用がなされるものである。
【００２２】
図９はさらに他の実施の形態を示し、スライダー２１の両端側の両側部に凹部２１ａを設け、この凹部２１ａがスライドケース２２の側部に設けた凸部２２ａと係合することによって、ロック作用がなされるものである。
【００２３】
図１０はさらに他の実施の形態を示し、ロックプレート２３の両側に、該両側部に設けた垂下片２３ａ，２３ａとの間で平面的台形状を呈するように平坦部２４ａ，２４ａと傾斜部２４ｂ，２４ｂを有する形状のサイドロックプレート２４，２４が取り付けられており、スライダー２５の両端部に設けた凸部２５ａ，２５ａが傾斜部２４ｂ，２４ｂと係合することにより、ロック作用がなされる。
尚、この実施の形態の場合に、スライダー２５に該スライダーと共に移動する他のスプリングプレートを組み合わせることは任意である。
【００２４】
また、以上の各発明においては、ロックプレートに設ける凸部や凹部はスライドカバーの側に設けても良いし、スプリングプレートは、ロックプレートとスライダーの間に介在させても良い。
【００２５】
【発明の効果】
この発明は以上のように構成したので、次のような効果を奏し得る。
【００２６】
請求項１のように構成すると、互いに上下方向に重なり合った第１の部材と第２の部材を互いに一方向へ任意の位置で安定停止可能にスライドすることができる上に、請求項６のようにこのスライド機構を携帯電話機に用いた場合には、送話部と受話部を不使用時に重なり合わせてコンパクトにした状態で、ディスプレー装置に情報を表示させることができ、このディスプレー装置を送話部と受話部を互いにスライドさせてずらせた状態でも、そのまま使用することができるという効果を奏し得るものであり、薄く耐久性のあるスライド機構を提供することができるものである。
【００２７】
請求項２のように構成すると、ロック手段の機構が簡単になるという利点を有する。
【００２８】
請求項３のように構成すると、スライダーの凸部とロック部材の傾斜部との係合によりロック作用がなされるので、ロック作用がソフトな感触となるという利点を有する。
【００２９】
請求項４のように構成すると、スライダーのスライドがよりスムーズとなる上に、フリーストップ機能が向上させ、耐久性を増大させることができるという効果を奏し得る。
【００３０】
請求項５のように構成すると、オイルレスにしても潤滑性が増すことにより、耐久性を向上できるという効果を奏し得る。
【図面の簡単な説明】
【図１】この発明を実施した携帯電話機の第１の部材である送話部と第２の部材である受話部を重ね合わせた状態の斜視図である。
【図２】図１に示した携帯電話機の送話部と受話部をスライドさせて見た斜視図である。
【図３】図１に示した携帯電話機の分解斜視図である。
【図４】この発明に係るスライド機構の横断面図である。
【図５】この発明に係るスライド機構の拡大縦断面図である。。
【図６】この発明に係るスライド機構の分解斜視図である。
【図７】この発明に係るスライド機構の他の実施の形態を示す説明図である。
【図８】この発明に係るスライド機構のさらに他の実施の形態を示す説明図である。
【図９】この発明に係るスライド機構のさらに他の実施の形態を示す説明図である。
【図１０】この発明に係るスライド機構のさらに他の実施の形態を示す説明図である。
【符号の説明】
１      匡体（送話部）
２      第１の部材
３      匡体（受話部）
４      第２の部材
４ｂ    ディスプレー装置
５      アンテナ
６      スライド機構
７      スライドケース
８      ピン
９      取付ネジ
１０    ロックプレート
１０ｂ  係止突片
１０ｃ  凸部
１０ｄ  凸部
１１    スライドカバー
１１ｂ  係止孔
１１ｃ  ガイド長孔
１２    スライダー
１２ａ  凸部
１２ｂ  凸部
１２ｃ  凸部
１３    ロック手段
１５    スライダー
２３    ロックプレート
２４    サイドロックプレート
２４ｂ  傾斜部
２５    スライダー
２５ａ  凸部
【図１】
0003856682.tif 000002
【図２】
0003856682.tif 000003
【図３】
0003856682.tif 000004
【図４】
0003856682.tif 000005
【図５】
0003856682.tif 000006
【図６】
0003856682.tif 000007
【図７】
0003856682.tif 000008
【図８】
0003856682.tif 000009
【図９】
0003856682.tif 000010
【図１０】
0003856682.tif 000011